(57)【特許請求の範囲】
【請求項１】
各図書ごとに識別された図書識別データと該図書の図書高さ寸法データとをデータ項目として少なくとも有する既存の図書情報データベースに基づき、新たなデータ項目を演算する図書情報データベース処理システムであって、
前記既存の図書情報データベースが有する少なくとも各図書ごとの図書識別データと図書高さ寸法データとを取得する取得部と、該取得部が前記既存の図書情報データベースから抽出して取得した各図書ごとの図書高さ寸法データに基づき図書幅寸法若しくは図書の判型を演算する演算部と、前記図書識別データと該図書識別データに対応づけて前記演算部で演算された図書幅寸法データ若しくは図書の判型データとを出力する出力部と、を備えたことを特徴とする図書情報データベース処理システム。
【請求項２】
管理装置の指令に基づき、書庫に収容されている複数の図書が収納された複数のコンテナの中から、図書幅寸法若しくは図書の判型に対応する収納寸法のコンテナを取り出してステーションに搬送するとともに、図書の貸出若しくは返却作業後に、前記ステーションより前記書庫にコンテナを搬送する図書保管管理システムであって、
前記管理装置は、前記図書識別データと前記図書幅寸法データ若しくは図書の判型データとをデータ項目として少なくとも有する図書サイズ情報データベースと、各コンテナ識別データと該コンテナ識別データに対応づけて該コンテナの収納寸法データと該コンテナに収納された各図書の前記図書識別データとをデータ項目として少なくとも有するコンテナ情報データベースと、を用いて、各図書と各コンテナとを対応付けて図書を保管管理することを特徴とする請求項１に記載の図書情報データベース処理システムを用いた図書保管管理システム。
【請求項３】
前記管理装置は、書庫に収容されている複数のコンテナの中から所定のコンテナを取り出すときに、前記図書幅寸法データ若しくは図書の判型データを前記コンテナの収納寸法データに対応させることを特徴とする請求項２に記載の図書保管管理システム。
【請求項４】
前記書庫は、前記コンテナの種類別に分類された複数の棚領域を有し、前記複数のコンテナが前記各棚領域に対応するようになっており、前記コンテナ情報データベースは、前記コンテナ識別データに対応づけて該コンテナが収容されている棚領域を示す棚領域データをデータ項目として更に有し、前記管理装置は、各図書と各コンテナと各棚領域とを対応付けて図書を保管管理することを特徴とする請求項２または３に記載の図書保管管理システム。
【請求項５】
前記管理装置は、書庫に収容されている複数のコンテナの中から所定のコンテナを取り出すときに、前記図書幅寸法データ若しくは図書の判型データを前記棚領域データに対応させることを特徴とする請求項４に記載の図書保管管理システム。
【請求項６】
前記既存の図書情報データベースは、各図書ごとの頁数データをデータ項目として更に有し、
前記取得部は、各図書ごとの前記頁数データとを取得し、前記演算部は、各図書ごとに前記頁数データに基づき図書厚さ寸法を演算し、前記図書識別データと該図書識別データに対応づけて前記演算部で演算された図書厚さ寸法データを出力することを特徴とする請求項１に記載の図書情報データベース処理システム。
【発明の詳細な説明】
【技術分野】
【０００１】
本発明は、各図書ごとに識別された図書識別データと、この図書の図書高さ寸法データとをデータ項目として少なくとも有する既存の図書情報データベースに基づき、新たなデータ項目を演算する図書情報データベース処理システム、及びこの処理システムを用いた図書保管管理システムに関する。
【背景技術】
【０００２】
ＴＲＣ（図書館流通センター）やＩＬＬ（国立情報学研究所）で使用される既存の目録データベースには、図書高さ寸法情報や頁数情報はデータ項目として存在するが、図書幅寸法や図書の判型（種類）の情報はデータ項目に存在しなかった。近年、図書をコンテナに収納してコンテナを書庫に収容する図書保管管理システムが増加しているが、所定のスペースを有するコンテナに各図書を収納するために、データ項目として図書幅寸法データ若しくは図書の判型データが必要であった。
【０００３】
従来の図書保管管理システムは、既存の図書情報データベースを用いて管理しており、ステーションにおける図書を書庫に返却する際に、ステーションの要返却図書を識別するとともに、既存の図書情報データベースが有しない図書幅寸法を実計測し、実計測した図書幅寸法に基づいて、返却に適した空きスペースを有するコンテナを特定して、このコンテナを搬送制御しているものがある（例えば、特許文献１及び２参照）。
【先行技術文献】
【特許文献】
【０００４】
【特許文献１】特許第３６４１５４８号公報（第１６頁、第１９図）
【特許文献２】特許第２５３２８２０号公報（第５頁、第９図）
【発明の概要】
【発明が解決しようとする課題】
【０００５】
しかしながら、特許文献１にあっては、各々の図書幅寸法について実計測を行なうため、ステーションに図書幅寸法計測用の特段の機器を要するばかりか、図書の判型については、作業者が手作業等で確認して入力する必要があり、図書返却の度ごとに計測作業や確認作業を要し作業手間が煩雑になるという問題がある。
【０００６】
本発明は、このような問題点に着目してなされたもので、図書情報データベースの新たなデータ項目として図書幅寸法若しくは図書の判型を容易に得ることができる図書情報データベース処理システム、及びこの処理システムを用いた図書保管管理システムを提供することを目的とする。
【課題を解決するための手段】
【０００７】
前記課題を解決するために、本発明の図書情報データベース処理システムは、
各図書ごとに識別された図書識別データと該図書の図書高さ寸法データとをデータ項目として少なくとも有する既存の図書情報データベースに基づき、新たなデータ項目を演算する図書情報データベース処理システムであって、
前記既存の図書情報データベースが有する少なくとも各図書ごとの図書識別データと図書高さ寸法データとを取得する取得部と、該取得部が前記既存の図書情報データベースから抽出して取得した各図書ごとの図書高さ寸法データに基づき図書幅寸法若しくは図書の判型を演算する演算部と、前記図書識別データと該図書識別データに対応づけて前記演算部で演算された図書幅寸法データ若しくは図書の判型データとを出力する出力部と、を備えたことを特徴としている。
この特徴によれば、実計測を行うことなく、既存の図書情報データベースを利用して、演算部が、取得部が取得した図書高さ寸法データに基づき図書幅寸法若しくは図書の判型（種類）を演算することで、図書識別データに対応付けた図書幅寸法データ若しくは図書の判型データを容易に得ることができるため、図書幅寸法データ若しくは図書の判型データを用いて拡張性を高めた図書の管理が可能となる。
【０００８】
本発明の図書情報データベース処理システムを用いた図書保管管理システムは、
管理装置の指令に基づき、書庫に収容されている複数の図書が収納された複数のコンテナの中から、図書幅寸法若しくは図書の判型に対応する収納寸法のコンテナを取り出してステーションに搬送するとともに、図書の貸出若しくは返却作業後に、前記ステーションより前記書庫にコンテナを搬送する図書保管管理システムであって、
前記管理装置は、前記図書識別データと前記図書幅寸法データ若しくは図書の判型データとをデータ項目として少なくとも有する図書サイズ情報データベースと、各コンテナ識別データと該コンテナ識別データに対応づけて該コンテナの収納寸法データと該コンテナに収納された各図書の前記図書識別データとをデータ項目として少なくとも有するコンテナ情報データベースと、を用いて、各図書と各コンテナとを対応付けて図書を保管管理することを特徴としている。
この特徴によれば、管理装置が、図書識別データに対応づけた図書幅寸法データ若しくは図書の判型データを有する図書サイズ情報データベースと、コンテナ識別データに対応づけたコンテナの収納寸法データ及びコンテナに収納された各図書の図書識別データを有するコンテナ情報データベースと、を用いることで、各コンテナと各コンテナ内に収納された図書を管理できることになる。
【０００９】
本発明の図書情報データベース処理システムを用いた図書保管管理システムは、
前記管理装置は、書庫に収容されている複数のコンテナの中から所定のコンテナを取り出すときに、前記図書幅寸法データ若しくは図書の判型データを前記コンテナの収納寸法データに対応させることを特徴としている。
この特徴によれば、各図書の寸法に対応した収納寸法のコンテナを用いて、コンテナの空きスペースを減少させることができ、各コンテナの図書の収納効率を向上させることができる。
【００１０】
本発明の図書情報データベース処理システムを用いた図書保管管理システムは、
前記書庫は、前記コンテナの種類別に分類された複数の棚領域を有し、前記複数のコンテナが前記各棚領域に対応するようになっており、前記コンテナ情報データベースは、前記コンテナ識別データに対応づけて該コンテナが収容されている棚領域を示す棚領域データをデータ項目として更に有し、前記管理装置は、各図書と各コンテナと各棚領域とを対応付けて図書を保管管理することを特徴としている。
この特徴によれば、管理装置が、各棚領域と各コンテナと各コンテナ内に収納された図書を管理できることになり、各コンテナの種類別に対応した棚領域を用いて、各寸法の図書ごとにまとめて所定の棚領域に保管することができ、各棚領域から入出庫されるコンテナの入出庫の作業効率を向上させることができる。
【００１１】
本発明の図書情報データベース処理システムを用いた図書保管管理システムは、
前記管理装置は、書庫に収容されている複数のコンテナの中から所定のコンテナを取り出すときに、前記図書幅寸法データ若しくは図書の判型データを前記棚領域データに対応させることを特徴としている。
この特徴によれば、各図書の寸法に対応した棚領域のコンテナを用いて、棚領域のコンテナの設置スペースを有効に活用することができ、各棚領域のコンテナの収容効率を向上させることができる。
【００１２】
本発明の図書情報データベース処理システムは、
前記既存の図書情報データベースは、各図書ごとの頁数データをデータ項目として更に有し、
前記取得部は、各図書ごとの前記頁数データとを取得し、前記演算部は、各図書ごとに前記頁数データに基づき図書厚さ寸法を演算し、前記図書識別データと該図書識別データに対応づけて前記演算部で演算された図書厚さ寸法データを出力することを特徴としている。
この特徴によれば、既存の図書情報データベースを利用して、演算部が、取得部が取得した頁数データに基づき図書厚さ寸法を演算することで、図書識別データに対応付けた図書厚さ寸法データを容易に得ることができるため、図書厚さ寸法データを用いて拡張性を高めた図書の管理が可能となる。
【図面の簡単な説明】
【００１３】
【図１】実施例における図書情報データベース処理システム及び図書保管管理システムを示すブロック図である。
【図２】図書保管管理システムの自動書庫及びステーションを示す平面図である。
【図３】自動書庫を示す一部側面図である。
【図４】ステーションを示す斜視図である。
【図５】コンテナを示す斜視図である。
【図６】図書の読取処理状況を示す斜視図である。
【図７】図書の返却処理を示すフローチャートである。
【発明を実施するための形態】
【００１４】
本発明に係る図書情報データベース処理システム及びこの処理システムを用いた図書保管管理システムを実施するための形態を実施例に基づいて以下に説明する。
【実施例】
【００１５】
先ず、実施例に係る図書情報データベース処理システムについて、図１を参照して説明する。
【００１６】
図１に示されるように、図書情報データベース処理システム（以下、処理システムと略す）２０は、既存のデータ項目からなる図書情報データベースＤＢ１に基づき、新たなデータ項目を演算するシステムである。
【００１７】
図書情報データベースＤＢ１は、例えばＴＲＣ（図書館流通センター）やＩＬＬ（国立情報学研究所）で使用される既存のデータベースであり、図書データのデータ項目として、各図書ごとに、図書識別データとしての図書番号データ、図書名データ、副図書名データ、著者名データ、出版社データ、図書高さ寸法データ、頁数データ等が記憶されているデータベースである。
【００１８】
処理システム２０は、既存の図書情報データベースＤＢ１に含まれる少なくとも図書番号データと図書高さ寸法データとを取得する取得部２０ａと、取得部２０ａが取得した図書高さ寸法データに基づき図書幅寸法若しくは図書の判型（種類）を演算する演算部２０ｂと、各図書ごとに図書番号データと図書番号データに対応付けて演算部２０ｂで演算された図書幅寸法データ若しくは図書の判型データ（種類データ）とを出力する出力部２０ｃと、を備えている。
【００１９】
次に、演算部２０ｂによる図書幅寸法若しくは図書の判型の演算について詳述する。先ず、処理システム２０の取得部２０ａは、図書情報データベースＤＢ１から、各図書ごとの図書番号データ、頁数データ、及び図書高さ寸法データを抽出して取得する。取得した各データは、一時的に記憶部２０ｄに記憶させておく。
【００２０】
演算部２０ｂは、前記した既存の図書高さ寸法データに基づき、当該図書幅寸法、若しくは、Ａ５判やＢ５判やＡ４判等の図書の判型を判別するとともに、当該図書のカバー（装丁）の種別を判別する。具体的には、演算部２０ｂは、例えば図書の高さ寸法が、１４８ｍｍの場合、Ａ６の文庫本と判別し、１８２ｍｍの場合、新書判と判別し、そして１８２ｍｍ超の場合、一般書籍と判別する。更に演算部２０ｂは、図書の高さ寸法が、１８２ｍｍ以下の場合、すなわち文庫本若しくは新書判の場合、当該図書のハードカバー無し（ソフトカバー）と判別し、１８２ｍｍ超の場合、すなわち一般書籍の場合、ハードカバー有りと判別する。制御装置は、判別した当該図書幅寸法若しくは図書の判型及びハードカバーの有無データを、一時的に記憶部２０ｄに記憶させておく。
【００２１】
続いて、演算部２０ｂは、記憶部２０ｄに記憶されている当該図書の頁数データ、及びハードカバーの有無データに基づき、当該図書の厚さ寸法を新たに演算する。具体的には、演算部２０ｂは、当該図書のハードカバー無し（ソフトカバー）と判別されている場合、図書の各構成紙（表裏両紙面で２頁分に相当）１枚あたりの厚さとして予め設定された０．０６ｍｍ、図書厚さの余裕代及び図書の経時使用による構成紙の厚み増加の校正係数１．１、及び表紙・裏表紙となるソフトカバー厚さとして予め設定された３．０ｍｍを選定して各数値を用い、当該図書の厚さ寸法＝頁数÷２×０．０６（ｍｍ）×１．１＋３．０（ｍｍ）を演算する。また演算部２０ｂは、当該図書のハードカバー有りと判別されている場合、前記した各紙あたりの厚さとして予め設定された０．１ｍｍ、前記した厚み増加の校正係数１．１、及び表紙・裏表紙となるハードカバー厚さとして予め設定された６．０ｍｍを選定して各数値を用い、当該図書の厚さ寸法＝頁数÷２×０．１（ｍｍ）×１．１＋６．０（ｍｍ）を演算する。演算部２０ｂは、演算した当該図書の厚さ寸法を、一時的に記憶部２０ｄに記憶させておく。尚、上記したカバー厚さの数値、厚み増加の校正係数の数値は、適宜設定変更可能である。
【００２２】
全ての図書について上記した演算を行なった後、出力部２０ｃは、各図書ごとの図書番号データに対応付けた図書幅寸法データ若しくは図書の判型データ、及び図書の厚さ寸法データをデータ項目として加えた新たな図書サイズ情報データベースとして出力が可能である。この新たな図書サイズ情報データベースＤＢ２は後述する図書保管管理システムにおいて利用される。尚、処理システム２０は、前記した新たな図書サイズ情報データベースＤＢ２を処理システム２０自体に記憶する記憶装置を有していてもよい。
【００２３】
上述した処理システム２０の構成によれば、既存の図書情報データベースＤＢ１を利用して、演算部２０ｂが、取得部２０ａが取得した図書高さ寸法データに基づき図書幅寸法若しくは図書の判型を演算することで、図書識別データに対応付けた図書幅寸法データ若しくは図書の判型データを容易に得ることができるため、図書幅寸法データ若しくは図書の判型データを用いて拡張性を高めた図書の管理が可能となる。
【００２４】
また、演算部２０ｂが、取得部２０ａが取得した頁数データに基づき図書厚さ寸法を演算することで、図書識別データに対応付けた図書厚さ寸法データを容易に得ることができるため、図書厚さ寸法データを用いて拡張性を高めた図書の管理が可能となる。
【００２５】
また、演算部２０ｂが、図書の高さ寸法に基づき予め設定された図書の構成紙あたりの紙厚さ寸法と、頁数とに基づき、図書厚さ寸法を演算することで、各図書の厚さ寸法をより正確に演算できる。
【００２６】
更に、演算部２０ｂが、図書の高さ寸法に基づき予め設定されたカバー（装丁）厚さ寸法と、頁数とに基づき、図書厚さ寸法を演算することで、各図書の厚さ寸法をより正確に演算できる。
【００２７】
次に、本実施例に係る図書情報データベース処理システムを用いた図書保管管理システムについて、図１から図７を参照して説明する。
【００２８】
図２に示されるように、自動書庫１は、複数の図書を収容する複数のコンテナを複数基のスタッカークレーン（本実施例では４基のスタッカークレーン２ａ，２ｂ，２ｃ，２ｄ）により自動的に出し入れ自在に収納保管する書庫であって、この自動書庫１は、４基のスタッカークレーン２ａ，２ｂ，２ｃ，そして２ｄをそれぞれ挟む両側に、一対の格納棚４ａ，４ｂと、５ａ，５ｂと、６ａ，６ｂと、そして７ａ，７ｂが複数のコンテナを収容すべく前後に延設された高層の構造物として構築されている。
【００２９】
尚、本実施例の自動書庫１は、図書幅寸法若しくは図書の判型に対応する収納寸法のコンテナが使用され、各コンテナが予め決められた収容箇所の各格納棚４ａ，４ｂ、５ａ，５ｂ、６ａ，６ｂ、７ａ，７ｂに収容される固定ロケーション方式となっている。また、各格納棚４ａ，４ｂ、５ａ，５ｂ、６ａ，６ｂ、７ａ，７ｂごとに、収容されるコンテナの種類別に分類された複数の収容番地（棚領域）が定められている。例えば、格納棚４ａ，４ｂは、文庫本用のコンテナが収容される収容番地となっており、格納棚５ａ，５ｂは、新書判用のコンテナが収容される収容番地となっている。
【００３０】
４基のスタッカークレーン２ａ，２ｂ，２ｃ，そして２ｄは、後述する管理装置の指令に基づき、格納棚４ａ，４ｂ，５ａ，５ｂ，６ａ，６ｂ、そして７ａ，７ｂの全ての位置に対応する位置まで前後並びに上下方向に自動走行し、図３に示されるように、位置決め停止してコンテナＣＴの出し入れを行う移動台１０を備えている。
【００３１】
次に、図５に示すように、コンテナＣＴは、複数の図書Ｂを起立状態で収容すべく上方が開放した一種類のボックス型で構成されていて、各コンテナＣＴには、個別に付与されたコンテナ識別データであるコンテナ番号を表示するバーコードＣＢ１を印刷したバーコードラベルが貼着されている。また、コンテナＣＴ内部に収納される各種図書Ｂにも、図書毎に個別に付与された図書識別データが符号化されたバーコードＣＢ２を印刷したバーコードラベルが貼着されている。尚、コンテナＣＴに収納される図書Ｂは、コンテナＣＴの前面側と背面側に、図書Ｂの背表紙を外側に向けた状態で、図書Ｂの厚み方向である左右方向に並べられた状態で収納されている。
【００３２】
また、図２に示すように、自動書庫１に隣接して、自動書庫１からコンテナを搬入出可能であって所望の図書を貸出し若しくは返却できるステーション１３が設けられており、自動書庫１の格納棚４ａ，４ｂ，５ａ，５ｂ，６ａ，６ｂ、及び７ａ，７ｂと、ステーション１３との間にはコンテナＣＴを搬送するための搬送装置８が配設されている。このステーション１３は本実施例のように一箇所のみ設けても良いし、あるいは複数箇所設けても良い。
【００３３】
ステーション１３について詳述すると、図４に示すように、ステーション１３の上部は内部が中空である中空部１７に形成されている。この中空部１７内に搬送装置８から連続したコンベア１６が延設されており、図書Ｂが収納されているコンテナＣＴを中空部１７内に搬送可能となっている。更に、ステーション１３の上部正面側には、左右方向に中空部１７を開閉自在なスライド扉１８が取り付けられており、このスライド扉１８を開放することによって、中空部１７に搬送されてきたコンテナＣＴから図書Ｂを取り出せるようになっている。
【００３４】
スライド扉１８を開放した中空部１７内には、コンベア１６に連続してターンテーブル１１が配設されており、ステーション１３に搬入されたコンテナＣＴは、最終地点としてこのターンテーブル１１上に載置されるようになっている。ステーション１３における利用者は、コンテナ回転ボタン１２ａを押圧操作することで、コンテナＣＴに収容された所望の図書を適宜手前側に移動させ、当該図書を取り出すことができる。
【００３５】
次に、本発明の図書保管の管理装置について詳述する。
【００３６】
図１に示されるように、管理装置３０は、自動書庫１のスタッカークレーン２ａ，２ｂ，２ｃ，２ｄ及び搬送装置８を管理する管理サーバ、ステーション１３の通信端末１４及びバーコードリーダ９を管理する管理サーバ、そして後述する主制御装置２５にそれぞれＬＡＮ接続されており、管理装置３０は、上記した管理サーバ及び主制御装置２５を司っている。
【００３７】
本図書保管管理システムにおいて使用される情報データベースは、上述した図書に関する新たに構築した図書サイズ情報データベースＤＢ２と、コンテナに関するコンテナ情報データベースＤＢ３である。
【００３８】
図書サイズ情報データベースＤＢ２は、前述した処理システム２０の出力部２０ｃが出力した情報データベースであって、図書サイズ情報データベースＤＢ２には、データ項目として、各図書ごとに、図書番号データ、頁数データ、図書高さ寸法データ、図書厚さ寸法データ、図書幅寸法データ及び図書の判型データ等が記憶されている。
【００３９】
尚、図書サイズ情報データベースＤＢ２のデータ項目として、上記した項目のほか、例えば図書の登録日、入庫日、出庫日、年数出庫回数等を記憶するようにしてもよい。
【００４０】
コンテナ情報データベースＤＢ３には、データ項目として、各コンテナごとに、コンテナの識別情報としてのコンテナ番号データ、コンテナに収容可能な図書サイズ寸法を示す収納寸法データ、コンテナに収納されている各図書の図書番号データ、コンテナが収容されている各格納棚における収容番地データ（棚領域データ）、及びコンテナ内の空きスペース寸法データ等が記憶されている。
【００４１】
図書サイズ情報データベースＤＢ２及びコンテナ情報データベースＤＢ３に対して、主制御装置２５がアクセスできるようになっており、コンテナ情報データベースＤＢ３におけるコンテナに収納されている各図書の図書番号データ及び収容番地データは、予め記憶されており、空きスペース寸法データは、主制御装置２５の制御に基づき、後述する図書の貸出し・返却に伴い随時、更新記憶が可能になっている。
【００４２】
コンテナ情報データベースＤＢ３の空きスペース寸法データについて詳述すると、先ず、主制御装置２５は、各コンテナごとに、コンテナに収納された各図書の図書番号データを抽出する。次に主制御装置２５は、図書サイズ情報データベースＤＢ２における図書番号データを照合して、図書番号が合致する図書の図書厚さ寸法データを抽出する。続いて主制御装置２５の演算手段２５ａは、各コンテナごとに、コンテナに収納された各図書の図書厚さ寸法を加算することで、コンテナに収納された図書の総厚さ寸法を算出する。最後に主制御装置２５の演算手段２５ａは、空コンテナの空き寸法から前記算出した図書の総厚さ寸法を減算することで、各コンテナごとに空きスペース寸法を算出し、コンテナ情報データベースＤＢ３に空きスペース寸法データとして記憶させる。
【００４３】
次に、図書の貸出処理について説明する。
【００４４】
先ず、ステーション１３内における図書利用者による特定の図書の貸出し依頼があると、主制御装置２５は、コンテナ情報データベースＤＢ３にアクセスし、当該図書が収納されているコンテナＣＴが収容された格納棚の番地（棚領域）を特定し、自動書庫１の管理サーバに対し当該コンテナを特定番地から出庫する出庫指令を出力する。
【００４５】
この出庫指令により、当該コンテナがステーション１３に到達し、ステーション１３において当該コンテナから取り出された図書について、貸出処理を行なうことで、主制御装置２５は、コンテナ情報データベースＤＢ３から当該図書の図書番号データを削除更新するとともに、図書サイズ情報データベースＤＢ２にアクセスして当該図書の図書番号に対応付けられた図書厚さ寸法データを抽出し、コンテナ情報データベースＤＢ３の当該コンテナのコンテナ番号データに対応付けられている空きスペース寸法に、前記した当該図書の図書厚さ寸法を加算した寸法を、新たな空きスペース寸法データとしてコンテナ情報データベースＤＢ３を更新記憶させる。
【００４６】
このような構成によれば、主制御装置２５を司る管理装置３０が、図書の貸出作業後に、貸出された図書が収納されていたコンテナが有していた空きスペース寸法に図書厚さ寸法を加算した寸法を、このコンテナの新たな空きスペース寸法データとしてコンテナ情報データベースＤＢ３に更新記憶させることで、図書の貸出後におけるコンテナの空きスペース寸法を得て、貸出後においても各図書を各コンテナに正確に収納管理できる。
【００４７】
次に、所望の貸出し図書が抜き出されたコンテナが、格納棚内における所定の番地（棚領域）に入庫されることで、そのコンテナ番号を付与したバーコードＣＢ１が、入庫された格納棚の所定の番地に具備された図示しないバーコードリーダ等により読み取られて、入庫が完了したことが確認された番地とコンテナのバーコードＣＢ１の信号がロケーションデータとしてそれぞれ主制御装置２５によりコンテナ情報データベースＤＢ３に更新記憶される。
【００４８】
次に、図書の返却処理について図１、図６、及び図７を参照して説明する。
【００４９】
先ず、ｓｔ０１のステップにおいて、ステーション１３の図書利用者は、閲覧済みの要返却図書Ｂについて、１冊ずつ、バーコードリーダ９によるバーコードＣＢ２の読取処理を行なう。主制御装置２５は、読取処理により識別されたデータを照合し、各要返却図書につき以下の処理を行なう。尚、各図書の読取処理については、必ずしもバーコードリーダによるバーコードの読取処理に限られず、他の公知技術を用いた読取処理、例えばタグリーダによるＲＦＩＤタグの読取処理であっても構わない。
【００５０】
各要返却図書の処理について説明すると、ｓｔ０２のステップにおいて、先ず図書情報データベースＤＢ２から図書番号を照合し、合致する図書番号の図書高さ寸法データを抽出し、この図書高さ寸法に基づき、当該図書を収納できる収納寸法（コンテナサイズ）を有するコンテナを選定する。具体的には、例えば当該図書の高さ寸法が、２１０ｍｍ未満の場合、Ａ５用コンテナを選定し、２１０ｍｍ以上で２５７ｍｍ未満の場合、Ｂ５用コンテナを選定し、そして２５７ｍｍ以上で２９７ｍｍ未満の場合、Ａ４用コンテナを選定する。また、図書が横長本の場合、横長本用コンテナを選定する。尚、コンテナの収納寸法は、コンテナごとに個別に設けられた仕切板の有無、仕切板の配置により、各コンテナごとに予め設定されている。ｓｔ０３のステップにおいて、主制御装置２５は、選定したコンテナの収納寸法を、一時的に記憶手段２５ｂに記憶させておく。
【００５１】
続いて、ｓｔ０４のステップにおいて、主制御装置２５は、図書情報データベースＤＢ２から合致する図書番号の図書厚さ寸法データを抽出し、一時的に記憶手段２５ｂに記憶させておく。
【００５２】
ｓｔ０５のステップにおいて、要返却図書の残りがある場合、主制御装置２５は、図書利用者がｓｔ０１のステップの読取処理を行なうことで、上記したｓｔ０２〜ｓｔ０４の処理を各々の要返却図書について行なう。
【００５３】
次に、図書利用者は、全ての要返却図書について読込処理を済ませた後、ステーション１３の作業完了ボタン１２ｂを押圧操作する。作業完了ボタン１２ｂの押圧操作により、主制御装置２５は、上記した各々の要返却対象の図書の図書幅寸法若しくは図書の判型、及び厚さ寸法に基づき、返却に適した収納寸法（コンテナサイズ）及び空きスペースを有するコンテナを特定する。
【００５４】
具体的には、ｓｔ０６のステップにおいて、主制御装置２５は、図書幅寸法若しくは図書の判型ごと、すなわち各サイズごと要返却図書の厚さ寸法を合計し、各サイズの要返却図書の総厚さ寸法を算出する。次に、一時的に記憶手段２５ｂに記憶した各要返却対象の図書の図書幅寸法若しくは図書の判型に適した空きコンテナを選出する。
【００５５】
次に、ｓｔ０７のステップにおいて、主制御装置２５は、コンテナ情報データベースＤＢ３にアクセスし、上記のように選出したコンテナの収納寸法、及び算出した各サイズの要返却図書の総厚さ寸法を超える空きスペース寸法を有するという条件でコンテナの特定を試みる。ｓｔ０８のステップにおいて、前記条件を満足する単一のコンテナを特定できた場合、当該特定コンテナに対し、ステーション１３に向けて搬入指令処理を行なう。
【００５６】
また、前記条件を満足する単一のコンテナが複数存在する場合、条件を満たすコンテナの中で、各サイズの要返却図書の総厚さ寸法に最も近い空きスペース寸法、すなわち最も小さい空きスペース寸法を有するコンテナを特定することが好ましい。このようにコンテナを特定することで、より大きな空きスペース寸法を有するコンテナを次回以降の返却作業に残すことができる。
【００５７】
尚、主制御装置２５は、前記条件を満たす単一のコンテナを特定できない場合、複数のコンテナを特定して、当該複数の特定コンテナに対し出庫指令を行い、要返却図書を複数組に分けて当該複数の特定コンテナに収納するようにしてもよい。
【００５８】
主制御装置２５は、前記したｓｔ０８のステップである搬入指令処理を行なった後、ｓｔ０９のステップにおいて、他のサイズの要返却図書の残りがある場合、主制御装置２５は、上記したｓｔ０７〜ｓｔ０８の処理を各サイズの要返却図書について行なう。そして、全ての図書が返却された後に、再びｓｔ０１のステップである読み取り処理の実行を待機するようになっている。
【００５９】
前述と同様に、図４に示されるように、図書利用者は、出庫されターンテーブル１１上に載置された特定コンテナを適宜前後反転させることで、特定コンテナの空きスペースを任意に手前側に配置させ、要返却図書を空きスペースに収納できる。図書利用者が、要返却図書を空きスペースに収納した後、作業完了ボタン１２ｂを押圧操作することで、主制御装置２５は、この特定コンテナをステーション１３から自動書庫１内の所定箇所に入庫させるとともに、当該コンテナ識別情報と入庫位置の識別情報とを関連付けてコンテナ情報データベースＤＢ３に更新記憶させる。
【００６０】
更に主制御装置２５は、当該特定コンテナが有している空きスペース寸法から、今回返却した要返却図書の総厚さ寸法を減算した寸法を、当該特定コンテナの新たな空きスペース寸法データとして、コンテナ情報データベースＤＢ３に更新記憶させる。
【００６１】
このような構成によれば、主制御装置２５を司る管理装置３０が、図書幅寸法若しくは図書の判型の実測を要さずに図書情報データベースＤＢ１から図書幅寸法若しくは図書の判型を容易に得ることができ、図書幅寸法データ若しくは図書の判型データを用いて拡張性を高めた図書の管理が可能となる。尚、主制御装置２５を司る管理装置３０が、図書の厚さ寸法の実測を要さずに図書情報データベースＤＢ１から図書の厚さ寸法を得ることができ、要返却図書の総厚さを収納可能な空きスペース寸法を有するコンテナをステーション１３に搬入させることで、ステーション１３の図書を容易且つ確実に書庫に返却できるばかりか、図書の返却作業後におけるコンテナの空きスペース寸法を得て、返却後においても各図書を各コンテナに正確に収納管理できる。
【００６２】
以上説明したように、管理装置３０が、図書識別データに対応づけた図書幅寸法データ若しくは図書の判型データを有する図書サイズ情報データベースＤＢ２と、コンテナ識別データに対応づけたコンテナの収納寸法データ及びコンテナに収納された各図書の図書識別データを有するコンテナ情報データベースＤＢ３と、を用いることで、各コンテナと各コンテナ内に収納された図書を管理できることになる。
【００６３】
以上、本発明の実施例を図面により説明してきたが、具体的な構成はこれら実施例に限られるものではなく、本発明の要旨を逸脱しない範囲における変更や追加があっても本発明に含まれる。
【００６４】
例えば、前記実施例では、図書サイズ情報データベースＤＢ２とコンテナ情報データベースＤＢ３とが個別の情報データベースとして構築され、主制御装置２５がそれぞれの情報データベースにアクセスしているが、例えば、図書厚さ情報データとコンテナ情報データとが直接に対応付けられた単一の情報データベースを構築し、この情報データベースにアクセスしてもよい。
【００６５】
また例えば、前記実施例では、図書情報データベース処理システム２０が、既存の図書情報データベースＤＢ１に基づき新たに図書サイズ情報データベースＤＢ２を構築しているが、例えば、図書情報データベース処理システムは、既存の図書情報データベースにデータ項目として図書高さ寸法データを付加して、この図書情報データベースを拡張構築してもよい。更に、図書情報データベース処理システムは、既存の図書情報データベースに、データ項目として図書高さ寸法データとコンテナ情報データとを付加して、この図書情報データベースを拡張構築し、図書保管管理システムの管理装置が、この拡張構築された図書情報データベースにアクセスしてもよい。
【００６６】
また、前記実施例では、自動書庫１を各コンテナが予め決められた収容箇所に収容される固定ロケーション方式として説明したが、各コンテナの収容箇所を決めずに収容効率を向上させたフリーロケーション方式としてもよい。
【符号の説明】
【００６７】
１                自動書庫
９                バーコードリーダ
１３              ステーション
２０              図書情報データベース処理システム
２０ａ            取得部
２０ｂ            演算部
２０ｃ            出力部
２５              主制御装置
２５ａ            演算手段
２５ｂ            記憶手段
３０              管理装置
【図１】
0005695852.tif 000002
【図２】
0005695852.tif 000003
【図３】
0005695852.tif 000004
【図４】
0005695852.tif 000005
【図５】
0005695852.tif 000006
【図６】
0005695852.tif 000007
【図７】
0005695852.tif 000008